(57)【要約】【課題】側端播種装置部の播種装置を、格納する際、後方に播種装置が位置するように切換えると、前後重量バランスが不安定となり、かつ傾斜面走行で播種装置下端が地面の接触等の不具合がある。【解決手段】支持フレーム１５に幅方向に突出して格納用６角軸３１を固定して設ける。格納姿勢にあっては、側端側の播種装置６（１０ｂ）を一列状に揃えてある６角軸１７から取外し、格納用６角軸３１に取付ける。【選択図】図６
2016077239.tif 000002
【特許請求の範囲】
【請求項１】
走行機体の後方に昇降自在に作業機フレームを有し、該作業機フレームに多数の播種装置を、作業姿勢と格納姿勢とに切換え自在に装着した播種機において、
前記作業機フレームは、幅方向両端部にて縦方向に延びる左右の支持フレームと、幅方向に通して延びる、廻り止め形状の軸部材と、前記左右の支持フレームに固定されて幅方向に延びる、廻り止め形状の格納用軸部材と、を有し、
前記多数の播種装置は、所定数の中間播種装置部と、該中間播種装置部の左右の側端側に配置される側端播種装置部とに分けられ、
作業姿勢にあっては、前記左右の側端播種装置部が、前記軸部材に固定されて前記中間播種装置部と幅方向一列状に配置され、
格納姿勢にあっては、前記左右の側端播種装置部が前記左右の格納用軸部材にそれぞれ固定して配置されてなる、
ことを特徴とする播種機。
【請求項２】
前記左右の支持フレームは、上下方向に延びる立上り部と、該立上り部の上端から前記走行機体方向に屈曲して延びる前傾部と、を有し、
前記格納用軸部材は、前記前傾部に固定されてなる、
請求項１記載の播種機。
【請求項３】
前記格納用軸部材は、前記軸部材に対して側面視上方でかつ前方に配置されてなる、
請求項１又は２記載の播種機。
【請求項４】
前記多数の各播種装置は、それぞれ固定部と、ホッパ内の種を圃場に播種する播種部と、前記固定部に対して前記播種部を上下方向に移動し得る平行リンク部と、を有し、
前記播種部は、側面視Ｌ字状である、
請求項１ないし３のいずれか１項記載の播種機。
【請求項５】
前記左右の格納用軸部材は、前記左右の支持フレームに幅方向外側に突出するようにそれぞれ固定されてなる、
請求項１ないし４のいずれか記載の播種機。
【請求項６】
前記左右の格納用軸部材は、前記左右の支持フレームに幅方向内側に突出するようにそれぞれ固定されてなる、
請求項１ないし４のいずれか記載の播種機。
【発明の詳細な説明】
【技術分野】
【０００１】
本発明は、走行機体の後方に、複数の播種装置を横方向に装着した播種機に係り、詳しくは側端側の播種装置の着脱に関する。
【背景技術】
【０００２】
一般的には田植機として用いられる走行機体の後方に、複数の播種装置を横（幅）方向に装着した播種機がある。該播種機は、走行機体より幅広に複数の播種装置が並んで配置されているため、移送時にトラックの荷台からはみ出してしまうことがある。
【０００３】
これを防止するため、中間の播種（作業）装置部の支持フレームに対して、左右の側端播種機（作業）装置部の支持フレームを左右方向スライド移動自在に、かつ外方側への一定量スライド移動により揺動可能となるように係合して、側端播種装置部が、中間播種装置部と横一列に並ぶ作業姿勢と中間播種装置部の後方に位置する格納姿勢とに切換え自在とした播種機が案出されている（特許文献１）。
【先行技術文献】
【特許文献】
【０００４】
【特許文献１】特開平１０−２０１３１４号公報
【発明の概要】
【発明が解決しようとする課題】
【０００５】
上記播種機は、格納姿勢にあっては、側端播種装置部が中間播種装置部の後方に突出するように配置されるので、播種機全体の前後方向が長くなり、前後の重量バランスが悪くなり、特に播種機を、トラック荷台からみち板により降ろす場合、また畦側から圃場内に侵入する場合等、急勾配の傾斜面を走行する場合、前後バランスが急激に変化して取り扱いを難しくしている。
【０００６】
また、上記傾斜面において、機体後方に突出して位置する側端播種装置部の下端が地面に接触して、播種装置を損傷する虞がある。
【０００７】
そこで、本発明は、側端播種装置部を、中間播種装置部の上方側において支持フレームに脱着し、もって上述した課題を解決した播種機を提供することを目的とするものである。
【課題を解決するための手段】
【０００８】
本発明は、走行機体（５）の後方に昇降自在に作業機フレーム（７）を有し、該作業機フレームに多数の播種装置（６…）を、作業姿勢と格納姿勢とに切換え自在に装着した播種機（１）において、
前記作業機フレーム（７）は、幅方向両端部にて縦方向に延びる左右の支持フレーム（１５）と、幅方向に通して延びる、廻り止め形状の軸部材（１７）と、前記左右の支持フレームに固定されて幅方向に延びる、廻り止め形状の格納用軸部材（３１）と、を有し、
前記多数の播種装置（６…）は、所定数の中間播種装置部（１０ａ）と、該中間播種装置部の左右の側端側に配置される側端播種装置部（１０ｂ，１０ｂ）とに分けられ、
作業姿勢にあっては、前記左右の側端播種装置部（１０ｂ，１０ｂ）が、前記軸部材（１７）に固定されて前記中間播種装置部（１０ａ）と幅方向一列状に配置され、
格納姿勢にあっては、前記左右の側端播種装置部（１０ｂ，１０ｂ）が前記左右の格納用軸部材（３１，３１）にそれぞれ固定して配置されてなる、
ことを特徴とする播種機にある。
【０００９】
前記左右の支持フレーム（１５，１５）は、上下方向に延びる立上り部（１５ａ）と、該立上り部の上端から前記走行機体方向に屈曲して延びる前傾部（１５ｂ）と、を有し、
前記格納用軸部材（３１）は、前記前傾部（１５ｂ）に固定されてなる。
【００１０】
前記格納用軸部材（３１）は、前記軸部材（１７）に対して側面視上方でかつ前方に配置されてなる。
【００１１】
前記多数の各播種装置（６…）は、それぞれ固定部（２０）と、ホッパ（２４）内の種を圃場に播種する播種部（２１）と、前記固定部（２０）に対して前記播種部（２１）を上下方向に移動し得る平行リンク部（２２）と、を有し、
前記播種部（２１）は、側面視Ｌ字状である。
【００１２】
前記左右の格納用軸部材（３１，３１）は、前記左右の支持フレーム（１５，１５）に幅方向外側に突出するようにそれぞれ固定されてなる。
【００１３】
前記左右の格納用軸部材（３１’，３１’）は、前記左右の支持フレーム（１５，１５）に幅方向内側に突出するようにそれぞれ固定されてなる。
【００１４】
なお、上記カッコ内の符号は、図面と対照するためのものであるが、これにより特許請求の範囲に記載の構成に何等影響を及ぼすものではない。
【発明の効果】
【００１５】
請求項１に係る本発明によると、側端播種装置部の播種装置を、軸部材から取外し、支持フレームに固定された格納用軸部材に取付ける簡単な作業で作業姿勢から格納姿勢に容易に変更することができ、かつ格納姿勢にあっては、側端播種装置部の播種装置は、後方に出張らない位置にあって、傾斜面走行に際して重量バランスの変化が大きくなく、安定して走行できると共に、播種装置の下端を地面に接触して破損する等の不具合をなくすことができる。
【００１６】
請求項２に係る本発明によると、左右の支持フレームは、立上り部から走行機体方向（前方）に傾斜する前傾部を有し、該前傾部に上記格納用軸部材を固定したので、格納姿勢にある播種装置は、前方位置にある。また、支持フレームは、立上り部と傾斜部とにより、植付装置の苗のせ台を支持することができ、作業機フレームを田植機と兼用することができる。
【００１７】
請求項３に係る本発明によると、格納用軸部材は、軸部材に対して側面視上方でかつ前方に配置されるので、格納姿勢にあって、側端播種装置部の播種装置は、中間播種装置部の上方かつ前方にコンパクトに納めることができる。
【００１８】
請求項４に係る本発明によると、播種装置の播種部は、側面視Ｌ字状からなり、格納姿勢にあって、高いスペース効率でコンパクトに納めることができる。
【００１９】
請求項５に係る本発明によると、格納用軸部材は、支持フレームの幅方向外側に突出するので、該格納用軸部材への播種装置の着脱が容易となる。
【００２０】
請求項６に係る本発明によると、格納用軸部材は、支持フレームの幅方向内側に突出するので、格納姿勢での播種装置が重心に近づき、重量バランスを向上すると共に、上記幅方向外側の格納用軸部材と合せて、格納姿勢で多くの播種装置を格納用軸部材に装着することができ、多列の播種装置に対応することができる。
【図面の簡単な説明】
【００２１】
【図１】本発明に係る播種機を示す側面図。
【図２】その平面図。
【図３】播種装置を示す左前方からみた斜視図。
【図４】作業姿勢にある播種装置を示す側面図。
【図５】その背面図。
【図６】格納姿勢にある播種装置を示す側面図。
【図７】作業姿勢と格納姿勢との切換えを示す背面図。
【図８】他の実施の形態を示す背面図。
【発明を実施するための形態】
【００２２】
以下、図面に沿って、本発明の実施の形態について説明する。播種機１は、図１及び図２に示すように、前輪２及び後輪３により支持される走行機体５を有しており、該走行機体５の後方にリンク装置４を介して所定数（本実施の形態にあっては８個）の播種装置６…からなる作業機８が装着されている。上記走行機体５は、田植機として用いられる走行機体が利用され、該田植機のリンク装置４を介して連結されている作業機フレーム７も利用され、通常は、該作業機フレーム７に装着される植付装置に代えて、作業機８として播種装置６…が装着される。
【００２３】
走行機体５と作業機８との間には、作業機フレーム７に吊下げられた整地装置９が配置され、該整地装置９は、走行機体５側から動力が伝達されて回転し、かつ作業機フレーム７の昇降に伴って昇降し得ると共に、作業機フレーム７に対して、作業位置と非作業位置とに昇降し得る。整地装置９は、幅（横）方向に、上記一列状の複数の播種装置６…からなる播種装置部１０と略々同じ長さを有する。該一列状に長い整地装置９は、播種機１をトラックに乗せて移動する際、走行機体５の幅より大きい左右両端側整地装置部９ａ，９ａは、上方に折畳まれる。また、作業機フレーム７には左右の線引きアーム１４が起伏自在に配置されており、該線引きアーム１４は、起立位置にあっては、走行機体５と作業機フレーム７との間に位置する。
【００２４】
前記作業機フレーム７は、リンク装置４の後端側にローリングシャフト１１によりローリング自在に連結されている。該作業機フレーム７は、図３、図４及び図５に詳示するように、幅（横）方向に通して延びているメインフレーム１３及び該メインフレーム１３の左右端部において該メインフレームに立上るように固定されている左右の支持フレーム１５，１５を有している。更に、メインフレーム１３には、所定複数箇所に後方に突出して取付けプレート１６が一体に固定されており、かつ複数の取付けプレート１６に亘って横（幅）方向に通して２個の６角軸１７，１９が設けられている。なお、該６角軸１７，１９は、廻り止めして各播種装置６を装着するためのものであり、６角軸に限らず、スプライン、キー溝、多角形、非円形等の他の廻り止め形状の軸部材でもよい。上方の６角軸１９は、下方の６角軸１７に比して短く、取付けプレート１６及び下方の６角軸の作業機フレーム７への取付けをしっかりと固定し、下方の６角軸１７は、走行機体幅より所定量長く延びており、多数の播種装置６…を一列状に装着し得る長さになっている。なお、上記取付けプレート１６のメインフレーム１３に対する取付けは、作業機フレーム７に植付け装置を装着する際のプランタケース連結孔と共通している。
【００２５】
播種装置６は、上記下方の６角軸１７に一体に固定して装着する固定部２０と、ホッパ２４内の種と圃場面に播種する播種部２１と、固定部（連結部）２０と播種部２１とを連結する平行リンク部２２と、からなり、多数（実施の形態では８個）の播種装置６が幅（横）方向に一列状に装着される。固定部２０は、上記６角軸１７の４面が嵌合する溝を有する取付板２３と、６角軸１７を上記溝との間で挟み込むようにボルトにより取付板２３に固定される押え板２５とからなる。播種部２１は、種を入れるホッパ２４と、ホッパ２４から供給される種をベルトに受けて該ベルトの回転により圃場面に播く供給装置２６と、該供給装置２６を駆動する駆動輪２７と、フロート２８と、を有しており、供給装置２６がホッパ２４の下方において前方に延び、全体として側面視Ｌ字状からなる。上記平行リンク部２２は、固定部２０に対して播種部２１を平行に移動自在に支持し、かつスプリング３０（図５参照）により駆動輪２７の接地圧を調整すると共に、駆動輪２７を設置する作業位置と駆動輪２７を圃場面から離す非作業位置に切換える。
【００２６】
上記各播種装置６は、各固定部２０が上記６角軸１７に一列状に装着されて播種装置部１０となるが、該一列状の播種装置部１０は、走行機体５の幅内に位置する中間播種装置部（中央側の６個の播種装置６…）１０ａと、その左右端側で走行機体５の幅より食み出る左右の側端播種装置部１０ｂ，１０ｂとに分けられる。
【００２７】
前記作業機フレーム７の左右の支持フレーム１５，１５は、メインフレーム１３から上方に立上る立上り部１５ａと、該立上り部の上端から走行機体（前方向）に屈曲して延びる前傾部１５ｂと、を有し、該前傾部１５ｂ，１５の上端が断面Ｌ字状の連結フレーム３４により連結されている。上記左右の支持フレーム１５，１５の前傾部１５ｂ部分には横方向に突出して、前記６角軸１７と同じ断面形状の格納用６角軸（軸部材）３１，３１が一体に固定されている。これら格納用６角軸３１，３１には、図６に示すように、それぞれ前記６角軸１７から抜き取った左右の側端播種装置部１０ｂ，１０ｂの播種装置６，６がその固定部２０を差込むことにより、固定して装着される。本実施の形態にあっては、上記格納用６角軸３１，３１が支持フレーム１５，１５の前傾部１５ｂに幅方向外側に向くように突設されており、かつ図５に示すように、上記格納用６角軸３１の先端に抜止めストッパ３１ｃが固定されている。該格納用６角軸３１の長さは、その先端が走行機体５の幅内に納まるように設定されている。上述したように、左右の側端播種装置部１０ｂの播種装置６は、６角軸１７又は格納用６角軸３１に固定部２０を嵌合して装着されるが、中間播種装置部１０ａの各播種装置６は、必ずしも上記６角軸１７に嵌合して装着する必要はなく、固定部２０が取付けプレート１６にボルトにより直接固定されてもよい。
【００２８】
前記支持フレーム１５の立上り部１５ａにピンにより連結して延長フレーム３５が後方に突出して延びており、これら延長フレーム３５と前記取付けプレート１６との間に補強プレート３６が介在して連結されている。上記延長フレーム３５の先端には、付加作業機取付けフレーム３７が連結するように横設されている。該取付けフレーム３７の中央にはブラケット３８を介して付加作業機である薬剤散布機３９が取付けられている。なお、中央部の播種装置６の播種部２１に昇降油圧感知リンク４０が連結されており、該播種部（フロート）の対地高さが一定となるように、上記昇降油圧感知リンク４０を介してリンク装置４が昇降制御される。なお、図４において、４２は、整地装置９を上下移動自在に支持する平行リンクであり、４３は、作業機スタンドであり、４５は、ペースト施肥ノズルである。
【００２９】
本実施の形態に係る播種機１は、圃場にあっては、図１〜図５に示すように、左右の側端播種装置部１０ｂの播種装置６も、６角軸１７に固定して装着され、中間播種装置部１０ａ及び両側端播種装置部１０ｂ，１０ｂの全ての播種装置６…が作業機フレーム７に一列状に並んで装着した作業姿勢にある。リンク装置４により作業機フレーム７を下降し、播種装置６の駆動輪２７を接地すると共に、フロート２８が田面上に接地する。この状態で、走行機体５を走行しつつ、駆動輪２７により播種装置６を駆動して、各播種装置６…は、フロート２８により均らされた田面上にホッパ２４からの種を播く。この際、同時に整地装置９を作動して、上記播種に先立ち田面を整地すると好ましい。また、ペースト施肥ノズル４５から肥料を施肥してもよく、また薬剤散布機３９から薬剤を散布してもよい。
【００３０】
上記一列状にある多数の播種装置６…は、図２に示すように、それぞれ播種位置Ｈで示すように、列状に播種されるが、走行機体５の前輪２及び後輪３の走行跡（輪だち）Ｗから上記播種位置Ｈが外れるように、各播種装置６…が位置決めして装着されている。これにより、例えば種が浮き上がらないように鉄コーティングした種子を播種する場合でも、種子が土中に埋まって、発芽率の低下や稲の生育にバラツキを生じることを防止できる。
【００３１】
また、上記播種作業が終了して、播種機１を圃場から畦へ走行する際、播種機１をトラックの荷台に乗せる際、また反対に畦から圃場に進入する際、トラック荷台から降ろす際、若しくは播種機を納屋等に保管する際、播種機１は、格納姿勢に切換えられる。
【００３２】
即ち、図６及び図７に示すように、左右の側端播種装置部１０ｂの播種装置６を６角軸１７等により取外す。具体的には、播種装置６の固定部２０の取付板２３に対する押え板２５のボルトによる締付けを緩め、固定部２０を６角軸１７の端から抜き出すか、または押え板２５を取付板２３から外して取外す。そして、取外した両播種装置６を格納用６角軸３１に取付ける。即ち、上記押え板２５が緩められた状態で、取付板２３の溝を格納用６角軸３１にその端から挿入して押込むか、または取外した押え板２５を取付板２３に固定して取付ける。この状態で、ボルトに押え板２５を締付けて、該押え板２５と取付板２３との間で格納用６角軸３１を挟込んで端側（１０ｂ）の播種装置６は、格納用６角軸３１に付け換えられる。
【００３３】
これにより、左右の側端播種装置部１０ｂの播種装置６は、図７に示すように、背面視において中間播種装置部１０ａの端側の播種装置６と略々重なる位置となり、播種装置部１０の幅方向長さは短縮される。
【００３４】
格納用６角軸３１は、支持フレーム１５に幅方向外側に設けられており、かつ該支持フレーム１５の前傾部１５ｂに設けられているので、上記付け換えられた播種装置６（１０ｂ）は、中間播種装置部１０ａに対して上方でかつ前側（走行機体側）に位置し、格納姿勢にあっては、播種機全体で前後方向に長くなることはなく、中間播種装置部と支持フレーム１５との間のスペースを有効に利用してコンパクトにまとめることができる。
【００３５】
また、播種装置６の播種部２１は、側面視においてＬ字状からなるため、付け換えられた播種装置６は、中間播種装置部１０ａのＬ字形の間に位置して、格納姿勢における更なるコンパクト化が図れている。また、支持フレーム１５は、植付け装置を装着する際の支持フレームを兼用しながら、その前傾部１５ｂに設けられた格納用軸部材３１に装着されることにより、上述した格納姿勢のコンパクト化が図られている。なお、上述した播種装置の格納姿勢の切換えと同時に、整地装置９も上方に折畳まれ、幅方向の短縮化が図られる。またこの際、薬剤散布機３９を取外して、機体前後方向の短縮化を図ってもよい。
【００３６】
上記格納姿勢にあっては、側端播種装置部１０ｂの播種装置６は、上述したように格納用６角軸３１に付け換えられているので、幅方向の短縮化が図られ、トラック荷台の積込みが容易になり、かつ保管スペースも小さくて足りる。また、格納姿勢にあっても、機体前後方向が長くなることはないので、トラック荷台へのみち板による積み降し、また畦から圃場への進入、退出に際して急な傾斜面を走行する際にも、急激な前後バランスの重量変化を少なくして、安定した走行を行うことがき、また播種装置の下端を地面に接触して、破損することを防止できる。
【００３７】
図８は、一部変更した実施の形態を示す。本実施の形態にあっては、格納用６角軸３１’を、支持フレーム１５の幅方向外側に突出した格納用６角軸３１に代えて、又は加えて支持フレーム１５の幅方向内側に向くように突出して固定する。外側突出の格納用６角軸３１に代えた場合、該内側突出の格納用６角軸３１に、側端播種装置部１０ｂの播種装置６を装着して、更なる格納姿勢において、側端播種装置を重心に近い位置に配置し、重量バランスの安定と共にコンパクト化を図ることができる。外側突出の格納用６角軸３１と内側突出の格納用６角軸３１’の両方を設ける場合、例えば１０個の播種装置６…を一列状に並べた多列播きの場合でも、左右２個ずつの播種装置６…をそれぞれ側端播種装置部１０ｂとして、１個の支持フレームの幅方向外側及び内側にそれぞれ播種装置を格納することができる。
【００３８】
なお、上述した実施の形態は、播種機として、湛水直播機として適用したが、これに限らず、畑作業等の他の播種機にも同様に適用可能である。
【符号の説明】
【００３９】
１      播種機
５      走行機体
６      播種装置
７      作業機フレーム
１０      播種装置部
１０ａ    中間播種装置部
１０ｂ    側端播種装置部
１５      支持フレーム
１５ａ    立上り部
１５ｂ    前傾部
１７      軸部材（６角軸）
２０      固定部
２１      播種部
２２      平行リンク部
２４      ホッパ
３１，３１’    格納用軸部材（６角軸）
【図１】
2016077239.tif 000003
【図２】
2016077239.tif 000004
【図３】
2016077239.tif 000005
【図４】
2016077239.tif 000006
【図５】
2016077239.tif 000007
【図６】
2016077239.tif 000008
【図７】
2016077239.tif 000009
【図８】
2016077239.tif 000010